(57)【特許請求の範囲】
【請求項１】
遊技機において賞球の払出しに関連する機能を有する第１の制御回路が設けられた第１の基板と、
その他の第２の制御回路が設けられた第２の基板と、
前記第１の基板と前記第２の基板とを電気的に接続するためにそれらの端縁部にそれぞれ設けられた電極端子と、
前記第１の基板および前記第２の基板の裏面側に位置する下側ケース部とそれらの表面側に位置する上側ケース部とから構成され、それら第１の基板および第２の基板をそれぞれの前記電極端子を露出させた状態で内部に同時に収容するための収容位置を備えると共に、内部におけるそれらの電気的接続が不能となるように各々の収容位置を区分するための前記上側ケース部および前記下側ケース部との間に生じる全ての当接部分に嵌め合い構造を備えた隔壁を有するケースと、前記上側ケース部と前記下側ケース部とを分離して前記第１の基板の前記ケース内部に位置する部分を開放する場合に不可逆的な変化を伴うことによりその痕跡を容易に視認し得るようにそのケースを封印する封印装置と
を、含むことを特徴とする遊技機の制御装置。
【発明の詳細な説明】
【０００１】
【発明の属する技術分野】
本発明は、パチンコ遊技機やスロットマシン等の遊技機の制御回路基板をケース内に収容した制御装置に関する。
【０００２】
【従来の技術】
一般に、パチンコ遊技機やスロットマシン等の遊技機には、大当たり判定、入賞判定、賞球（入賞口に入った遊技球に応じて払い出される遊技球。スロットマシンの場合には遊技球に代わってコインが用いられるが、説明の便宜上「賞球」という）の払出し、ＣＲ（Card Reader ）機における払出し、或いは大当たり等の遊技状態に応じた音声の発生やランプの発光等を行うための制御基板を有する制御装置が裏面側に備えられている。この制御基板に設けられる回路は、一般に、大当たり判定、入賞判定、或いは音声や発光等の個々の遊技機に固有の制御を行う固有制御回路と、払出し等の複数種類の遊技機に共通の制御を行う汎用制御回路とに大別される。そのため、汎用性を高める目的で、制御基板は、固有制御回路を備えた主基板と、汎用制御回路を備えた払出基板等の他の基板との複数枚に分割して設計されるのが通例である。
【０００３】
上記の主基板および払出基板等は、賞球の払出しに関連することから、開封の痕跡を容易に確認し得るケース内に封印された状態で遊技機の裏面に取り付けられる。店舗内等における制御回路の不正な改変を防止するためである。このケースは、外部から収容物を認識することが可能な透明な材質により構成され、例えば基板の両面側にそれぞれ位置する一対の上側ケース部および下側ケース部と、それらの接合部分に備えられた何らかの封印構造とから構成される。
【０００４】
【発明が解決しようとする課題】
ところで、遊技機を製造・販売するに際しては、その機能が法に定められた適正な範囲にあることの認証を得るために、（財）保安電子通信技術協会の「型式試験」を受ける必要がある。この型式試験で最も重要視されるのは、賞球の払出しに関連する部分、すなわち前記の固有制御回路（主基板）のうちの大当たり判定或いは賞球の払出し数の決定等の遊技制御機能を有する部分や、賞球の払出しを制御する汎用制御回路（払出基板）等であり、厳密な検査が為される。一方、固有制御回路のうちの音声や発光等を制御する部分については、賞球の払出しに関連しないことから、近年、型式試験の内容も簡略化される傾向にあり、書類審査で十分となった。そのため、遊技制御機能を有する主基板から音声や発光等を制御する部分を分離して別基板に構成すれば、検査の簡略化が可能となる。
【０００５】
しかしながら、検査の簡略化の目的で上記のように主基板と音声等の制御基板とを分割する場合には、それらを別々のケースに収容しなければならなかった。前記のように封印可能なケースに収容しても、何ら痕跡を残さないで開封することを完全に防止し得るように封印構造を構成することは困難である。このため、分割した音声等の制御基板を主基板と同時に一つのケース内に収容してその内部で接続すると、それらを不正に相互に接続することが容易であると共に、不正な動作を行う極小寸法の基板を主基板に接続して装着することも不可能ではない。しかも、ケース内部の配線状態は複雑であることから、初期の適正な状態に保たれているか否かを遊技場の係員はケース外部から容易に識別し得ない。したがって、主基板から音声等の制御基板を分離しても、それらを一つのケース内に収容すると主基板と一体的に設けられているに等しいことから、音声等の制御基板の検査の簡略化を図るためには、発見困難な不正接続を抑制できるように主基板とは別のケースに収容してその外部だけで接続する必要があったのである。この結果、音声等の制御基板を主基板から分離する場合には、固有制御回路が一枚の基板に設けられていた従来に比較して、遊技機の裏面に取り付けられる制御装置数が増加し、全体として大きな設置面積が必要になるという問題があった。
【０００６】
上述したような複数枚の基板を一つのケース内に収容すると不正な接続が容易になるという問題は、主基板から音声等の制御基板を分離する場合に限られず、これらと遊技機に備えられる他の制御基板との間においても同様に生じ得る。例えば、主基板と払出基板等の他の基板とを同時に収容し、或いは払出基板と上記の音声等の制御基板とを一つのケース内に同時に収容すれば、制御装置の個数を少なくして必要な設置面積を小さくできる。しかしながら、前述したように払出基板も賞球の払出しに関連する制御回路を有することから、このような主基板や払出基板等を含む複数枚の基板を一つのケース内に収容する場合には、何れの組み合わせにおいても上記のようなケース内部での不正接続の問題が生じるのである。すなわち、前記のような従来の制御装置用ケースの封印構造は、賞球の払出しに関連する機能を有する制御回路を備えた制御基板を、それと同時に収容された他の基板と接続してその機能を改変するような不正を抑制する効果が十分ではなかったため、複数枚の制御基板を同時に一つのケース内に収容することによって制御装置の個数を少なくして必要な設置面積を小さくすることが困難になっていた。
【０００７】
本発明は、以上の事情を背景として為されたものであって、その目的は、賞球の払出しに関連する制御基板の不正な改変を抑制しつつ設置面積を小さくできる遊技機の制御装置を提供することにある。
【０００８】
【課題を解決するための手段】
斯かる目的を達成するため、本発明の遊技機の制御装置の要旨とするところは、(ａ)遊技機において賞球の払出しに関連する機能を有する第１の制御回路が設けられた第１の基板と、(ｂ)その他の第２の制御回路が設けられた第２の基板と、(ｃ)それら第１の基板と第２の基板とを電気的に接続するためにそれらの端縁部にそれぞれ設けられた電極端子と、(ｄ)それら第１の基板および第２の基板の裏面側に位置する下側ケース部とそれらの表面側に位置する上側ケース部とから構成され、それら第１の基板および第２の基板をそれぞれの前記電極端子を露出させた状態で内部に同時に収容するための収容位置を備えると共に、内部におけるそれらの電気的接続が不能となるように各々の収容位置を区分するための前記上側ケース部および前記下側ケース部との間に生じる全ての当接部分に嵌め合い構造を備えた隔壁を有するケースと、(ｅ)前記上側ケース部と前記下側ケース部とを分離して前記第１の基板のそのケース内部に位置する部分を開放する場合に不可逆的な変化を伴うことによりその痕跡を容易に視認し得るようにそのケースを封印する封印装置とを、含むことにある。
【０００９】
【発明の効果】
このようにすれば、第１の基板と他の第２の基板とが同時に一つのケース内に収容されると共に、それらはケース外部に露出させられた端縁部の電極端子によって相互に接続され、且つ、封印装置が備えられたそのケース内には、内部における第１の基板と第２の基板との電気的接続が不能な状態にそれらの収容位置を相互に区分する隔壁が設けられる。そのため、一つのケース内に第１の基板と第２の基板とが同時に収容されていることから、それらを別々のケースに収容する場合に比較して制御装置の設置面積を小さくできる。しかも、第１の基板と第２の基板との電気的接続はケース外部だけで可能であるため、これらを不正に接続してもその発見が容易であると共に、容易に発見し得ることが不正な電気的接続処理を心理的に抑制する効果もある。また、ケースを構成する上側ケース部および下側ケース部と隔壁との当接面は、嵌め合い構造を備えることによって屈曲させられるため、その相互の当接部分を通る不正な配線をケース内に設けると、それがその嵌め合い構造を阻害することからケースを閉じることが困難となり、或いは、その嵌め合い部分で配線が屈曲させられることから容易に断線する。したがって、隔壁と上側ケース部および下側ケース部との当接部分が平坦な突き合わせ面に構成されている場合に比較して、不正な配線を設けることが一層困難になる。上記により、大当たり判定、入賞判定、賞球の払出し数の決定やその払出し等の賞球の払出しに関連する第１の基板の不正な改変を抑制しつつ制御装置の設置面積を小さくすることができる。
【００１１】
【発明の他の態様】
ここで、好適には、前記の第２の基板に設けられた第２の制御回路は、賞球の払出しに関連する機能を有しないものである。このようにすれば、遊技機の制御装置は、賞球の払出しに関連する機能を有する第１の制御回路が設けられた第１の基板と、そのような機能を有しない上記の第２の基板とが、内部での電気的接続が不能となるように隔壁に区分された状態で、封印装置を備えた一つのケース内に同時に収容される。そのため、ケース内においては第１の基板と第２の基板との電気的接続が不可能であることから、それらは実質的に独立したケースにそれぞれ収容されたことに等しい。したがって、厳密な検査が必要な第１の基板と同じケース内に収容されていても、そのことは第２の基板についての厳密な試験の必要性の有無に何ら影響しないため、賞球の払出しに関連する機能を有しない第２の基板についての厳密な試験は不要となって、型式試験を簡略化できる。特に、上記第２の基板が第１の基板から分割した基板である場合（例えば、主基板から分割した音声等の制御基板）等にも、それらが一体的に設けられている場合と同様にその第１の基板と同時に一つのケースに収容できるため、基板の分割に伴う制御装置の設置面積の増大が抑制される利点もある。
【００１２】
【発明の実施の形態】
以下、本発明の一実施例を図面を参照して詳細に説明する。
【００１３】
図１は、本発明の一実施例の遊技機の制御装置が裏面に備えられているパチンコ機１０の正面を示す図である。図において、パチンコ機１０は、カード・リード・ユニット１２を左側面に連結して用いられる所謂ＣＲ機と称される形式のものである。
【００１４】
パチンコ機１０の前面パネル１４の下部には、上部に設けられている遊技盤１６内に向かって遊技球を発射する後述する発射装置１０６を操作するためのハンドル１８が右端部に、払い出された賞球を蓄える下皿（貯留皿）２０が中央部にそれぞれ備えられている。なお、下皿２０の前面に備えられている２２は球抜きレバーであり、この球抜きレバー２２を左方向にスライドさせることによって、下皿２０の底部に備えられている図示しない球抜き穴から、貯留されている遊技球が排出される。
【００１５】
これらハンドル１８および下皿２０の上には、遊技球を発射装置１０６に一つずつ順次供給するための上皿（供給皿）２４が備えられている。遊技盤１６内の入賞口２６等への遊技球の入賞に応じて払い出される賞球は、この上皿２４に優先的にその左方に備えられている図示しない払出し口から払い出され、上皿２４が一杯になると、裏面側に設けられている経路を通って下皿２０に払い出されることとなる。なお、上皿２４の上面右端部には球抜きボタン２８が備えられており、これを例えば下に向かって押込み操作することにより、上皿２４内の遊技球を下皿２０内へ落とすことができる。また、この上皿２４の正面中央部には、前記のカード・リード・ユニット１２を操作するための球貸しスイッチ３０、カード返却スイッチ３２、およびカード残高を表示するための残高表示部３４が備えられている。
【００１６】
前記のカード・リード・ユニット１２には、高さ方向の略中央位置にカード挿入口３６が備えられると共に、その上方に「カード利用可」および「カード挿入中」等の表示ランプ３８ａ、３８ｂ等が備えられたものである。「カード利用可」ランプ３８ａが点灯している状態でカードを挿入口３６から挿入すると、「カード挿入中」ランプ３８ｂが点灯すると共に、上皿２４の残高表示部３４にカード残高が表示される。上皿２４に備えられている上記の球貸しスイッチ３０およびカード返却スイッチ３２はこの状態で利用でき、球貸しスイッチ３０を押込み操作することで、予め定められた一定量の遊技球が裏面側に備えられた後述の賞球払出装置７４によって上皿２４に払い出され、残高表示部３４の表示残高が遊技球の払出し量に応じて減少する。一方、カード返却スイッチ３２を押込み操作した場合には、挿入したカードが挿入口３６から排出されることとなる。
【００１７】
また、前記の遊技盤１６内には、図柄表示装置４０が中央部に、図柄始動口としても機能する普通電動役物４２がその下側に、開放状態と完全な閉塞状態との間で開閉動作させられる扉４４を有する大入賞口４６が更にその下側にそれぞれ備えられている。図柄表示装置４０は、例えば液晶表示装置で構成されるものであって、数字、アルファベット、記号、各種の絵等が例えば３桁程度に区分して表示される。この表示図柄は、普通電動役物４２に遊技球が入賞すると各桁毎に変化させられ且つ一定時間の後に停止させられるようになっており、予め定められた「７７７」、「ＡＡＡ」等の図柄で表示が停止（以下、「大当たり」という）すると、大入賞口４６の扉４４が予め定められた動作形態で一定の時間だけ開放動作して、遊技球の入賞確率が飛躍的に高められる。上記の普通電動役物４２は、開閉動作可能な一対の翼片４８、４８をその上部に備えており、この翼片４８が図示するように開いたときに普通電動役物４２への遊技球の入賞が容易になる。また、上記の大入賞口４６の下部には、普通図柄表示装置５０が備えられている。この普通図柄表示装置５０も例えば液晶表示装置等で構成されるものであり、例えば、８セグメントで一桁の数字或いはアルファベットを表示する。
【００１８】
上記の図柄表示装置４０の左右には、一対の普通図柄始動ゲート５２、５２が備えられており、遊技球が何れかを通過すると、前記の大入賞口４６の下部に備えられている普通図柄表示装置５０の表示が変化する。普通図柄表示装置５０の表示は、変化を開始してから一定時間の後に停止させられるものであり、その停止時の表示が予め定められた図柄に一致したとき（以下、「当たり」という）に、前記の普通電動役物４２の翼片４８、４８が一定時間だけ開成動作させられる。これにより、普通電動役物４２内へ遊技球が入賞させられると、上述のように図柄表示装置４０の表示が変化させられるが、その変化中に更に遊技球が入賞した場合には、図柄表示装置４０の上側に備えられている例えば４つの保留ランプ６６が順次点灯する。保留ランプ６６は普通電動役物４２への入賞数を記憶するものであって、この場合は最大４個の遊技球の入賞を記憶し、普通電動役物４２への入賞が終了しても、図柄表示装置４０の表示の変化および停止がその記憶した数だけ繰り返される。
【００１９】
なお、図において、５４は、遊技球の移動方向を制限し或いは変化させるために遊技盤１６内の適宜の位置に多数本が打ち込まれた釘であり、５６は、遊技球の移動方向を変化させるために例えば６か所に設けられた風車であり、５８は、遊技球の入賞時や大入賞口４６の作動時等に発光させられるランプである。但し、風車５６のうち、図柄表示装置４０の上端部左右に備えられている一対５６ａ、５６ａは、ランプ５８と同様に必要に応じて発光させられるランプを備えたランプ風車に構成されている。また、これらの発光時に同時に音声を発生させるためのスピーカ６０は、上皿２４と下皿２０との間に備えられている。また、遊技盤１６の周縁部には、左方にガイド・レール６２が設けられると共に、右方上部には返しゴム６４が設けられている。ガイド・レール６２は発射装置１０６によって発射された遊技球を入賞口２６等の備えられている遊技領域に誘導するものであり、返しゴム６４は、ここに当たった遊技球の勢いを減少して遊技領域内に戻すものである。
【００２０】
以上のように構成されたパチンコ機１０において、ハンドル１８を操作することにより遊技盤１６に向かって発射された遊技球は、釘５４や風車５６に絡みつつ下方に向かう。この遊技球が、普通図柄開始ゲート５２を通過すると、普通図柄表示装置５０の表示が変化する。なお、ゲート５２は、遊技盤１６上において単に遊技球が通過するだけであり、ここを通っても賞球は払い出されない。普通図柄表示装置５０の表示が前述した「当たり」図柄以外の表示（はずれ）の場合には、続いて遊技球がゲート５２を通過するまで何ら変化は生じないが、その図柄が「当たり」表示であると、普通電動役物４２の翼片４８が一定時間だけ開成動作させられる。この開成動作によって入賞確率が高められた普通電動役物４２に遊技球が入賞すると、その入賞数に応じて賞球が払い出されると共に、図柄表示装置４０の表示が変化する。そして、この図柄表示装置４０の表示が前記の「大当たり」以外の図柄（はずれ）で停止すると、前記の保留ランプ６６が点灯している場合或いは普通電動役物４２に遊技球が新たに入賞した場合には、図柄表示装置４０の表示が再度変化させられる。このような繰り返しの後、図柄表示装置４０の表示が「大当たり」図柄で停止すると、扉４４が開閉動作を開始し、一定時間だけ遊技球の入賞確率が飛躍的に高められる。なお、大入賞口４６、およびその左右に備えられている一対の普通入賞口２６に遊技球が入賞した場合にも、それぞれの入賞数に応じて賞球払出装置７４から賞球が払い出される。遊技球が何れの入賞口にも入らなかった場合には、遊技盤１６の下部に備えられているアウト口６８に入って回収され、賞球は払い出されない。
【００２１】
図２は、パチンコ機１０の裏面を表した図である。以下、図を参照して制御装置１２０等が備えられた裏面構成を説明する。パチンコ機１０の裏面上部には、図示しない遊技球供給装置から複数のパチンコ機１０の各々に供給される遊技球を蓄えるタンク７０が備えられている。タンク７０の例えば左端底部には、タンク・レール７２が接続されており、タンク７０から裏面における高さ方向の略中央であって右端部に備えられる賞球払出装置７４まで遊技球が誘導される。賞球払出装置７４の下側には、裏セット本体７６が備えられており、払い出された賞球はこの内部を通って図示しない上皿口から上皿２４へ、或いはその下端に設けられている下皿口７８から下皿２０に払い出される。
【００２２】
上記のタンク・レール７２の下方であって賞球払出装置７４の左側の位置には、払出基板８０がケースに収容されて備えられており、中央部やや下方に備えられる制御装置１２０内の主基板８２から送られた払出信号に従って、賞球払出装置７４を作動させる。すなわち、払出基板８０は、賞球払出装置７４に払出信号に応じた個数の賞球を払い出させるものであり、各種遊技機に共通の汎用制御回路を備えている。なお、主基板８２は、後述するように構成された制御基板収容ケース８４内に収容され且つ封印されており、その端縁部に設けられている電極端子１２８、１３２だけによって払出基板８０や後述する副基板１２６等と接続されている。上記の払出基板８０と前記図１に示される遊技盤１６との間には、図示しない集合板および図２に破線で示される中継基板８６等が備えられている。集合板は、前記の入賞口２６、４６等から入賞した遊技球を集めて回収するものであり、回収された遊技球（入賞球）は、裏セット本体７６に備えられている入賞球排出装置８８を経由してパチンコ機１０外に排出される。一方、中継基板８６は、入賞球が集められる過程においてその入賞位置や入賞数等を検出するものであり、その情報が主基板８２に送られる。
【００２３】
なお、上記の図２において９０は情報端子であり、前記の図柄表示装置４０の図柄確定回数等の種々の情報がこの情報端子９０から取得可能となっている。また、ケース８４の下方には、発射モータ９２が備えられており、前記のハンドル１８を回動操作することによってこの発射モータ９２が作動させられ、延いては発射装置１０６が作動させられる。また、上部においてタンク７０の右側に備えられている９４は、発射モータ９２等を制御するための制御端子やタンク内の球切れを検出するための球切れ情報端子等の各種端子である。また、裏セット本体の下部であって入賞球排出装置８８の近傍には、カード・リード・ユニット１２の端子９６と接続するための端子９８が備えられており、これら端子９６、９８でパチンコ機１０とカード・リード・ユニット１２とが接続されることによって、パチンコ機１０側からカード・リード・ユニット１２の制御が可能となっている。
【００２４】
図３は、パチンコ機１０を構成する複数の枠を相互に分離して示した図である。図において、機枠１００はパチンコ機１０を店内において所定位置に据え付けるために備えられた外枠であって、ラワン材等によって構成されている。その機枠１００の左端上下には一対のヒンジ１０４、１０４が備えられており、前記の遊技盤１６（図においては省略）が中央部に固着される裏枠１０８は、それら一対のヒンジ１０４、１０４によって機枠１００の左側端部回りの回動可能に取り付けられる。また、その裏枠１０８の右端には鍵ユニット１１０が取り付けられるようになっており、機枠１００の右側板の内側に設けられた図示しない係止部に鍵ユニット１１０の上下に備えられた係合爪を係合させることにより、裏枠１０８は周縁部が機枠１００に略密着した状態で固定される。前記の発射モータ９２で駆動される発射装置１０６は裏枠１０８にその裏側から取り付けられており、前記の下皿２０はその裏枠１０８の表側に取り付けられている。
【００２５】
また、前記の図２に示される裏セット本体７６等の各機構やタンク７０等は、上記の裏枠１０８の裏面にその左端回りで離隔する方向に回動可能な状態で取り付けられた機構板１０２に備えられている。機構板１０２は、裏枠１０８の裏面右端に設けられた図示しない係止具によってその右端部を固定される。そして、裏枠１０８の前面に、発射装置１０６に遊技球を供給するために上皿２４内に備えられる遊技球供給機構１１２、中央部にガラス板１１４が嵌められた前枠１１６、および上皿２４が順に取り付けられることにより、パチンコ機１０が組み立てられている。なお、このように構成された結果、前記の制御装置１２０等が取り付けられている機構板１０２の裏面は、前枠１１６に設けられている鍵穴１１８から覗く鍵ユニット１１０を外せば容易に露出させ得るようになっている。
【００２６】
図４は、前記の機構板１０２の裏面に取り付けられている制御基板ケース８４、厳密に言えば、内部に主基板８２等を収容した制御装置１２０の全体構成を示す斜視図である。図において、制御基板ケース８４は、後述するように内部に備えられる主基板８２等の表面および裏面に位置させられた上カバー１２２および下カバー１２４から構成されている。これら上カバー１２２および下カバー１２４は、何れも透明乃至半透明のプラスチックから成るものであり、内部に収容されている主基板８２およびその上に実装されている電子部品１４０や配線等を外部から認識し得るものである。上カバー１２２の長手方向の両端部には、封印装置として機能する薄肉の切断片１３４をそれぞれ一対備えた４個のネジ締部１３６が備えられ、両端部にそれぞれ備えられる何れかのネジ締部１３６、１３６が対として利用されることで、上カバー１２２および下カバー１２４が固着されて一つのケース８４を構成している。図の上下方向の寸法は上カバー１２２が下カバー１２４よりも短くなっており、そのため、制御基板ケース８４内には、主基板８２および副基板１２６が、それぞれ表面の一部（図において上側に位置する端縁部）を露出させられた状態で収容されている。これら基板８２、１２６の露出部分には、それらを相互に接続するための一対の電極端子１２８、１３０や、他の制御基板等と接続するための複数の電極端子１３２が設けられており、主基板８２と副基板１２６とは、それら一対の電極端子１２８、１３０間に配設されたコネクタ１３８で電気的に接続されている。本実施例においては、上カバー１２２が上側ケース部に、下カバー１２４が下側ケース部にそれぞれ相当する。
【００２７】
図５は、制御装置１２０を上カバー１２２を分離した状態で示した斜視図である。主基板８２および副基板１２６には、それぞれＩＣや抵抗体、コンデンサ、コイル等の電子部品１４０が実装されて、例えば裏面に設けられている図示しない配線によって各々の基板８２、１２６毎に電子部品１４０が相互に接続されている。主基板８２は、前記の図柄表示装置４０、普通電動役物４２、大入賞口４６、および普通図柄表示装置５０等の動作や、当たり判定、大当たり判定、入賞判定、或いは賞球払出し数の決定等の遊技制御機能を有する制御回路が設けられたものである。一方、副基板１２６は、その主基板８２によって制御される遊技を演出するために、上記の各動作或いは判定内容に応じて発光や効果音の発生等を制御する制御回路が設けられたものである。すなわち、これらは何れも遊技機毎に固有の制御を行う固有制御回路を構成するものであるが、主基板８２は、賞球の払出しに関連する機能、更に詳しく言えば、大当たり判定や賞球の払出し数を決定する機能を有し、副基板１２６はそのような機能を有していない。本実施例においては、固有制御回路が２枚の基板８２、１２６に分離されており、主基板８２が第１の基板に、副基板１２６が第２の基板にそれぞれ相当する。すなわち、本実施例においては、第２の基板は賞球の払出しに関連する機能を有していない。そして、下カバー１２４のこれら２枚の基板８２、１２６相互の間の位置には、後述するようにその底面から立設された下側仕切板１４２が図の上下方向の全長に亘って設けられており、これら２枚の基板８２、１２６は相互に完全に分離され、裏面側での相互接続は不可能となっている。
【００２８】
また、下カバー１２４の図における左右方向の両端には、前記のネジ締部１３６に対応する位置にそれぞれ４つのボス１４４が備えられている。そのため、上カバー１２２は、それに設けられたネジ締部１３６上から後述するワンウェイ構造を有するネジ１４６をボス１４４にねじ込むことで、基板８２および１２６を覆った状態で下カバー１２４に固定されている。なお、上カバー１２２の図における上側両端部には一対の爪１５０、１５０が備えられており、その爪１５０が下カバー１２４に備えられた凹み１５２に係合させられることでそれらの接合強度が高められている。また、基板８２および１２６は、それぞれその四隅においてネジ１４８によって下側カバー１２４に固定されている。
【００２９】
図６(a) は、上記の上カバー１２２の内面側を表した図であり、図６(b) は、前記の図５において下カバー１２４から基板８２、１２６を分離した状態で示す図である。図６(a) において、上カバー１２２の内面には、前記の下側仕切板１４２と突き合わされる上側仕切板１５４が備えられている。そのため、図７(a) に図４におけるVII −VII 視断面を示すように、上カバー１２２と下カバー１２４とが締結されてなるケース８４は、内部に形成される収容部１５６が上側仕切板１５４および下側仕切板１４２とから成る仕切り（隔壁）によって、主基板収容部１５６ａと、副基板収容部１５６ｂとに完全に分離されている。したがって、ケース８４が正しく組み立てられて上側仕切板１５４および下側仕切板１４２が突き合わされた状態において、収容部１５６内で主基板８２と副基板１２６とを電気的に接続することは不可能である。すなわち、主基板８２と副基板１２６とは、前記の図４に示されるようにケース８４の外部においてコネクタ１３８だけによって接続されている。なお、上カバーの図６(a) における下端部分すなわち電極端子１２８等とは反対側に位置させられる周壁部分１２２ａは、ケース８４の組み立て状態において下カバー１２４の図６(b) における下端面１２４ａを覆うように長く形成されている。
【００３０】
しかも、上記の図７(b) に、上記の突き合わせ部近傍を上カバー１２２と下カバー１２４とが相互に分離した状態で拡大して示すように、上側仕切板１５４および下側仕切板１４２が相互に突き合わされる各々の当接面１５８、１６０には段差が設けられ、主基板収容部１５６ａから副基板収容部１５６ｂに向かう方向において屈曲させられている。そのため、図７(c) に示されるように組み立てられた状態では、上側仕切板１５４および下側仕切板１４２の先端部の一部が重ね合わされ、それら当接面１５８、１６０が嵌め合わされたことに等しい所謂「あいじゃくり」構造が形成される。したがって、ケース８４においては、これら上側仕切板１５４および下側仕切板１４２間に隙間が生じ難いため、その隙間を通して電気配線を設けることが一層困難になる。すなわち、上側仕切板１５４および下側仕切板１４２の各々の高さ寸法は、それらの一部が相互に重なり合う高さに設定されている。
【００３１】
更に、上記のように当接面１５８、１６０が屈曲させられていることから、それらの間に無理に配線を通しても、そこに存在する配線が邪魔になって上カバー１２２を下カバー１２４に完全に被せることが困難になる。そのため、不正な処置が行われたことはケース８４が完全に組み立てられていないことで一目で識別可能となる。また、仮にケース８４を完全に組み立てて封印を施すことが可能であったとしても、段差部分で配線が屈曲して断線し易いため、不正処理が無意味なものとなり易い。このため、本実施例の構造によれば、二つの収容部１５６ａ、１５６ｂが完全に仕切られているという物理的な不正抑制効果に加え、心理的な面における不正抑制効果もある。また、このように不正が実質的に防止されている結果、主基板８２および副基板１２６の各々の収容部１５６ａ、１５６ｂは実質的に独立している。これにより、本実施例のケース８４によれば、主基板８２および副基板１２６を同時に収容しているにも拘わらず、副基板１２６の型式試験における検査は簡略化される。請求の範囲にいう「嵌め合い構造」は、当接面が屈曲させられるものであれば、本実施例のような「あいじゃくり」構造をも含むのである。
【００３２】
図６に戻って、下カバー１２４の内面には、収容部１５６ａ、１５６ｂの各々の四隅に対応する位置にボス１６２が備えられている。基板８２および１２６は、前記のネジ１４８がこれら複数のボス１６２にねじ込まれることで、図７(a) に示されるように下カバー１２４に固定されている。
【００３３】
図８(a) 〜(c) は、ケース８４に設けられているネジ締部１３６とボス１４４とによって構成される封印構造の詳細を説明する図である。図において(a) は上カバー１２２を下カバー１２４に取り付ける前の状態を示しており、(b) はネジ１４６を締めつけることによって上カバー１２２を下カバー１２４に固定した状態を示しており、(c) は切断片１３４を切断処理することによって固定されていた上カバー１２２を下カバー１２４から分離した状態を示している。図８(a) において、ネジ締部１３６には、前記の切断片１３４の内周側において下カバー１２４側に伸びる壁面によって周壁部が構成される有底穴１６４と、その有底穴１６４の底部に形成された先細りの貫通穴１６６とが備えられており、ネジ１４６は、全体がその有底穴１６４内に入った状態で、更にその貫通穴１６６内に先端部がねじ込まれる。ネジ１４６を保持する機能を有するネジ保持部は、ネジ締部１３６のうちこれら有底穴１６４と貫通穴１６６とによって構成される。一方、ボス１４４には、内周側にネジ１４６の完全ネジ部の直径よりも細いボス穴１６８が上記の貫通穴１６６と同軸的に備えられている。
【００３４】
図９は、上記のネジ１４６およびネジ保持部を詳しく説明する図である。なお、図においてはネジ保持部すなわち有底穴１６４および貫通穴１６６の縦断面を示している。ネジ１４６は、頭部１９０と軸部１９２とから構成されるものであり、その軸部１９２の先端の略半分の長さの範囲にだけネジ山１９４が備えられる。また、頭部１９０は、マイナス・ドライバ２２２（後述する図１０を参照）の先端面が当接する頂部上面２３０から略垂直に立って設けられてそこに不完全な溝２２４を形成し、ドライバ２２２の先端部側面２２６が当接させられる一対の当接面１９６、１９６と、その上面２３０からなだらかに形成された一対の斜面１９８、１９８とを軸心に関して点対称に備えたものである。そのため、図に矢印Ｔで示されるねじ込み方向においてはその当接面１９６がドライバ２２２先端に係合することからネジ１４６を回すことが可能であるが、反対の緩み方向においてはドライバ先端が斜面１９８上を滑るためネジ１４６を回すことが不可能である。
【００３５】
図１０(a) 〜(d) は、上記頭部１９０を真上から見た状態においてネジ１４６をねじ込み方向或いは緩み方向に回転させようとするときの様子を模式的に示したものである。(a) は頭部１９０の平面形状を表し、(b) は当接面１９６、１９６間に形成された溝２２４にマイナス・ドライバ２２２の先端が嵌め入れられた状態を表す。図１０(b) に示されるようにドライバ２２２が溝２２４に嵌め入れられた状態で、(c) に示されるようにねじ込み方向Ｔにドライバ２２２を回転させると、その先端部側面２２６は当接面１９６を押す方向に作用させられる。そのため、それらの当接状態が維持されてネジ１４６にトルクが伝達され、前記のボス１４４に締め着けられることなる。反対に(d) に示されるように緩み方向Ｒにドライバ２２２を回転させる場合には、他方の側面２２８が押圧すべき位置には当接面１９６が備えられていないことから、ドライバ２２２の先端面は上面２３０上を滑って斜面１９８上に乗り上げる。そのため、当接面１９６と側面２２６との当接状態が維持されず、ドライバ２２２の先端が溝２２４から外れてネジ１４６にトルクが伝達されないことから、ネジ１４６を緩めることはできない。ネジ１４６は、このような頭部１９０を備えることによってワンウェイ構造に構成されている。
【００３６】
図８に戻って、(b) に示される状態においては、ネジ１４６がボス穴１６８にねじ込まれることによって、上カバー１２２と下カバー１２４とが固定されている。なお、ネジ１４６は、上記のように軸部１９２の先端だけにネジ山１９４が設けられていることから、このような固定状態とするに際してネジ１４６を過度にねじ込んでボス穴１６８を削り取ることとなったとしても、そのネジ山１９４が設けられていない部分は、ボス穴１６８の内壁面を削ることはない。そのため、このような場合にも、ネジ山１９４とボス穴１６８上部の内壁面との係合に基づいてネジ１４６がボス１４４に確実に固定される。ネジ１４６のネジ山１９４が設けられている範囲は、このように最もねじ込んだ状態においてネジ山１９４が設けられていない部分がボス穴１６８内に十分な長さで入り込むように、ネジ締部１３６とボス１４４との当接状態において有底穴１６４の底面からボス１４４の頂部までの距離が、ネジ山１９４を設けていない部分の長さよりも短くなるように定められている。
【００３７】
上述したように一方向にしか回転させ得ないネジ１４６で上カバー１２２と下カバー１２４とが固定されている結果、ネジ１４６を緩めてそれらを分離することは殆ど不可能である。そこで、これらを検査等の目的で相互に分離する必要が生じた場合には、以下のように処理する。前述したように、ネジ保持部を構成する有底穴１６４および貫通穴１６６が設けられている部分は、薄肉の切断片１３４だけで上カバー１２２に連結されている。そのため、この連結部分をニッパ等を用いて切断すると、それらの連結状態が解消されることから、ネジ１４６およびネジ保持部が下カバー１２４に固着されたまま、上カバー１２２を取り外すことが可能となる。上記の図８(c) は、このようにして分離した状態を示している。したがって、ケース８４は、上ケース１２２を外すためにネジ締部１３６のこのような不可逆的な変化を伴うことから、上ケース１２２を外したか否かを容易に識別できるため、これを外して内部の配線を改変する不正を防ぐことができるのである。
【００３８】
なお、検査等の目的で上カバー１２２を外した場合には、再びそれを下カバー１２４に取り付けて、その後の不正を防止すべく封印を施す必要がある。前記の図４等に示されるようにネジ締部１３６が複数箇所に備えられているのは、この際に封印を可能とするためである。すなわち、ネジ締部１３６は、一回の封印作業では両端部に備えられている各々一か所だけが用いられ、同時にボス１４４に締めつけられているネジ１４６は常に２本だけである。したがって、上記のようにして封印を一つ破壊した後は、他の場所に設けられているネジ締部１３６でネジ１４６を締め込むことにより、外すことができないそのネジ１４６によって同様に封印を行うことができるため、最初の封印を含めて４回の封印が可能となっている。
【００３９】
以上説明したように、本実施例によれば、主基板８２と副基板１２６とが同時に一つのケース８４内に収容されると共に、それらはケース８４外部に露出させられた電極端子１２８、１３０によって相互に接続され、且つ、封印装置として機能するネジ締部１３６およびボス１４４が備えられたそのケース８４内には、内部における主基板８２と副基板１２６との電気的接続が不能な状態にそれらの収容部１５６ａ、１５６ｂを相互に区分する、下側仕切板１４２および上側仕切板１５４とから成る隔壁が設けられる。そのため、一つのケース８４内に主基板８２および副基板１２６が同時に収容されていることから、固有制御回路を備えた基板をそれら２枚に分割したことに伴う設置面積の増大が抑制される。また、ケース８４内においては主基板８２と副基板１２６との電気的接続が不可能であることから、それらは実質的に独立したケースにそれぞれ収容されたことに等しくなる。したがって、厳密な検査が必要な主基板８２と同じケース８４内に収容されていても、副基板１２６についての厳密な試験は不要となる。しかも、主基板８２と副基板１２６との電気的接続はケース８４の外部だけで可能であるため、これらを不正に接続してもその発見が容易であると共に、容易に発見し得ることが不正な電気的接続処理を心理的に抑制する効果もある。したがって、固有制御回路が一枚の基板に設けられ、或いはそれが主基板８２と副基板１２６とに分離されて一つのケース内に収められた従来の何れの制御装置に比較しても、設置面積の増大を伴うことなく、賞球の払出しに関連する主基板８２の不正な改変を一層抑制し、延いては型式試験の簡略化が可能な制御装置１２０が得られる。
【００４０】
しかも、本実施例によれば、下側仕切板１４２および上側仕切板１５４の相互の当接面１５８、１６０は、あいじゃくり構造（すなわち実質的に嵌め合い構造といえるもの）を備えることによって屈曲させられるため、その相互の当接部分を通る不正な配線をケース８４内に設けると、それがその嵌め合い構造を阻害することからケース８４を閉じることが困難となり、或いは、その嵌め合い部分で配線が屈曲させられることから容易に断線する。したがって、隔壁と上ケース１２２および下ケース１２４との当接部分が平坦な突き合わせ面に構成されている場合に比較して、不正な配線を設けることが一層困難になる。
【００４１】
また、本実施例においては、主基板８２と副基板１２６との電気的接続は、ケース８４の外部に位置させられている電極端子１２８、１３０間をコネクタ１３８で繋ぐことだけで為されているため、ケース８４を開けることなく、これらの電気的接続を断つことが可能である。そのため、型式試験、工場内での製品検査、店舗内における不正処理の有無の検査等のために主基板８２と副基板１２６とを別々に検査する必要がある場合にも、上記のコネクタ１３８を外すだけでこれらを簡単に電気的に分離できる利点もある。
【００４２】
次に、本発明の他の実施例を説明する。なお、以下の実施例において前述の実施例と共通する部分は同一の符号を付して説明を省略する。
【００４３】
図１１(a) 〜(c) は、仕切板の他の構成例をそれぞれ説明する図である。(a) に示される構造においては、全体が下カバー１２４と一体の仕切板２００が備えられている。上カバー１２２の内面には、紙面に垂直な仕切板２００の長手方向に沿って伸びる凹溝２０２が備えられており、仕切板２００の先端２０４はその凹溝２０２内に嵌め込まれている。したがって、この態様においては、上カバー１２２と仕切板２００との間で嵌め合い構造が形成されている。このようにしても、二つの収容部１５６ａ、１５６ｂが完全に分離され、且つ上カバー１２２と仕切板２００との当接面が屈曲させられているため、前記の図１乃至図９に示される実施例と同様に不正を抑制し、検査を簡略化する効果が得られる。なお、図７に示される構造と異なり、本実施例においては仕切板２００の先端２０４が平坦になっているが、その先端２０４が上カバー１２２に嵌め込まれることでその側面を含むコ字状を成す範囲が実質的に当接面として機能するため、敢えて先端２０４を段付き形状とする必要はない。
【００４４】
また、図１１(b) に示される構造においては、(a) の場合と反対に全体が上カバー１２２と一体の仕切板２０６が備えられている。下カバー１２４の内面には、紙面に垂直な仕切板２０６の長手方向に沿って伸びるＶ溝２０８が備えられており、仕切板２０６の先細りに形成された先端２１０はそのＶ溝２０８内に嵌め込まれている。したがって、この態様においては、下カバー１２４と仕切板２０６との間で嵌め合い構造が形成されている。このようにしても、二つの収容部１５６ａ、１５６ｂが完全に分離され、且つ下カバー１２４と仕切板２０６との当接面が屈曲させられているため、先の２つの実施例と同様に不正を抑制し且つ検査を簡略化する効果が得られる。すなわち、収容部１５６を仕切る隔壁として機能させられる構成部分は、図７等に示される実施例のように上カバー１２２および下カバー１２４に分割して備えられていても良く、或いは、これら図１１(a) 、(b) に示される実施例のように一方だけに全体が備えられていても良いのである。また、隔壁と上カバー１２２或いは下カバー１２４との当接部分の形状は、主基板収容部１５６ａから副基板収容部１５６ｂに向かう方向において屈曲した当接面が形成されるものであれば、これらに示されるような種々の形状を採ることが可能である。
【００４５】
また、図１１(c) に示される構造においては、上カバー１２２および下カバー１２４の何れとも別部材に構成された仕切板２１２が備えられている。上カバー１２２および下カバー１２４の各々の内面には、凹溝２１４、２１６が設けられており、仕切板２１２の上端２１８および下端２２０は、それぞれこれら凹溝２１４、２１６内に嵌め込まれている。したがって、この態様においては、上カバー１２２および下カバー１２４の両方と仕切板２１２との間で嵌め合い構造が形成されている。もちろん、このようにしても、収容部１５６ａ、１５６ｂが相互に分離されていること、および仕切板２１２と上カバー１２２、下カバー１２４との当接面が屈曲させられていることは、前述の各態様と同様であり、同様な不正抑制効果および検査簡略化効果を得ることができる。
【００４６】
以上、本発明の一実施例を図面を参照して詳細に説明したが、本発明は、更に別の態様でも実施し得る。
【００４７】
例えば、実施例においては、本発明がパチンコ機１０の制御装置１２０に適用された場合について説明したが、主基板８２のように大当たり判定や賞球の払出し数を決定する機能を有する制御回路が設けられた基板、すなわち賞球の払出しに関連する制御回路が設けられた第１の基板と、その他の第２の基板、例えばその決定延いては払出しに関与しない制御回路が設けられた副基板１２６とを含む複数の基板が同時にケース８２内に収容された制御装置であれば、本発明は、スロットマシン等の他の遊技機用のものにも同様に適用できる。
【００４８】
また、実施例においては、主基板８２と同時にケース８４内に収容される副基板１２６は、発光や効果音の発生等を制御するものであったが、主基板８２と賞球の払出しを行うための払出基板８０とをケース内に同時に収容する場合にも、本発明は同様に適用される。また、賞球払出装置７４に賞球を払い出させるこの払出基板８０も「賞球の払出しに関連する機能」を有するため、これと上記のような副基板１２６とを同時にケース内に収容する場合等にも、本発明は同様に適用される。すなわち、第２の基板に備えられた第２の制御回路は、賞球の払出しに関連する機能を有しないものであっても、反対に第１の制御回路と同様に賞球の払出しに関連する機能を有するものであってもよい。したがって、第２の基板が賞球の払出しに関連する機能を有しない制御回路を備えたものである場合だけでなく、第１の基板および第２の基板が共に「賞球の払出しに関連する機能を有する制御回路が設けられた基板」である場合にも、本発明は適用される。
【００４９】
また、実施例においては、隔壁として機能する仕切板１４２、１５４等の当接面１５８、１６０等が屈曲させられた嵌め合い構造が備えられる場合について説明したが、このような嵌め合い構造は必ずしも設けられなくともよく、例えば、当接面１５８、１６０等をそれぞれ平坦面として単に突き合わされる構造に構成することもできる。このようにしても、隔壁が設けられている部分を何らかの配線が通ることが不自然であることは透明なケースを通して一目で判別でき、不正処理の為されたことの確認が容易であるため、不正抑制効果および検査を簡略化する効果を十分に得ることができる。
【００５０】
また、実施例においては、ケース８４が上カバー１２２および下カバー１２４から構成されていたが、３つ以上の構成部品からケース８４が構成されていても差し支えない。
【００５１】
また、実施例においては、２枚の基板８２、１２６が同時にケース８４内に収容された制御装置１２０に本発明が適用された場合について説明したが、少なくとも一枚が不正な配線処理の防止を要求される基板であって、その基板と相互に電気的に接続する必要がある少なくとも一枚の他の基板とを同時に収容するものであれば、その不正防止を要求される基板とは接続されない更に他の基板を含む３枚以上の基板が同時にケース内に収容される制御装置にも本発明は同様に適用される。
【００５２】
また、実施例においては、封印装置がネジ締部１３６およびボス１４４によって構成されていたが、上カバー１２２と下カバー１２４とを分離した痕跡が明らかになり、且つ再度封印が可能なものであれば、溶着等の他の種々の封印構造を採用することができる。
【００５３】
また、図１乃至図１０に示される実施例においては、下側仕切板１４２と上側仕切板１５４との先端部の一部が重なり合うようにそれらの高さが定められていたが、これらが略完全に重なり合う高さに設定されると共に、それらの位置がその厚み方向に僅かにずらされることにより、相互に略密着させられた二重の仕切板によって収容部１５６ａ、１５６ｂが相互に分離されるように構成してもよい。
【００５４】
その他、一々例示はしないが、本発明はその主旨を逸脱しない範囲で種々変更を加えた態様で実施し得る。
【図面の簡単な説明】
【図１】本発明の一実施例の制御装置を備えたパチンコ機の正面図である。
【図２】図１のパチンコ機の裏面図である。
【図３】図１のパチンコ機の枠部材等を相互に分離して全体の構成を説明する図である。
【図４】図１のパチンコ機の裏面に備えられている制御装置の全体構成を示す斜視図である。
【図５】図４の制御装置の上カバーを外した状態を説明する図である。
【図６】  (a) は、図４の制御装置の上カバーの内面構造を説明する図であり、(b) は、図５において更に基板を下カバーから分離した状態で示す図である。
【図７】  (a) は、図４におけるVII −VII 視断面を表した図であり、(b) および(c) は、仕切板の構成の詳細を上カバーおよび下カバーの組み立て前後でそれぞれ示す図である。
【図８】図４の制御装置に備えられた封印構造を説明する図であり、(a) は封印前の状態、(b) は封印状態、(c) は、封印を開封した状態をそれぞれ表す。
【図９】図８の封印構造に用いられているネジおよびネジ保持部とを詳しく説明する図である。
【図１０】  (a) 〜(d) は、図９に示されるネジの頭部の形状およびドライバでネジを回す際におけるその頭部形状の機能を説明する図である。
【図１１】  (a) 〜(c) は、それぞれ仕切板の他の構成例を説明する図７(c) に対応する図である。
【符号の説明】
８２：主基板
１２０：制御装置
｛１２２：上カバー、１２４：下カバー｝（８４：ケース）
１２６：副基板
１２８、１３０：電極端子
｛１３６：ネジ締部、１４４：ボス｝（封印装置）
｛１４２：下側仕切板、１５４：上側仕切板｝（隔壁）
【図１】
0003657451.tif 000002
【図２】
0003657451.tif 000003
【図３】
0003657451.tif 000004
【図４】
0003657451.tif 000005
【図５】
0003657451.tif 000006
【図６】
0003657451.tif 000007
【図７】
0003657451.tif 000008
【図８】
0003657451.tif 000009
【図９】
0003657451.tif 000010
【図１０】
0003657451.tif 000011
【図１１】
0003657451.tif 000012